【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
概ね周方向に配置され、相互に間隔をあけて設けられている複数の第１ループ含有区間であって、第１ループ含有区間内部のループが第１頻度で発生している第１ループ含有区間と；
複数の第２ループ含有区間であって、第２ループ含有区間のループが第１頻度よりも高い第２頻度で発生し、第２ループ含有区間がステントの縦軸に沿って第１ループ含有区間と連続して交互になっており、前記区間が、ステントの円周に位置する各第２ループ含有区間のループ２つおきに、縦方向に隣接する区間と交互に連結されている第２ループ含有区間とを含むステントであって、
第１ループ包含区間及び第２ループ包含区間が複数のセルを形成し、各セルが第１ループ包含区間の１つのループと、第３ループ包含区間の３つのループとで形成され、
第１ループ含有区間がステント拡張時に半径方向の支持を提供し、第２ループ含有区間がステントの縦方向の可撓性を提供するステント。
【請求項２】
各セルがほぼ同じ面積を囲むことを特徴とする請求項１記載のステント。
【請求項３】
各第１ループ含有区間の相対的な幅が、血管腔に挿入するためにステントを圧縮する際に、各第２ループ含有区間が各第１ループ含有区間と基本的に同じ直径に圧縮可能となるような幅であることを特徴とする請求項１記載のステント。
【請求項４】
第１ループ含有区間及び第２ループ含有区間が支柱を有し、第１ループ含有区間が第２ループ含有区間の支柱よりも幅の広い支柱を有することを特徴とする請求項１記載のステント。
【請求項５】
第２ループ含有区間の支柱が、第２ループ含有区間の別の支柱よりも短いことを特徴とする請求項４記載のステント。
【請求項６】
ループのパターンを第１頻度で含み、お互いに相対的な位相に配置された複数の第１周方向バンドと；
ループのパターンを第１頻度よりも高い第２頻度で含む複数の第２周方向バンドであって、第２周方向バンドがステントの縦軸に沿って第１周方向バンドと連続して交互になっており、第２周方向バンドのループが２つおきに、第１周方向バンドの隣接するバンドと交互に連結されている第２周方向バンドとを含むステントであって、
第１周方向バンド及び第２周方向バンドが複数のセルを形成し、各セルが第１周方向バンドの１つのループと第２周方向バンドの３つのループとで形成され、
第１周方向バンドが、ステント拡張時に半径方向の支持を提供するように相対的に構成され、第２周方向バンドが、ステントの縦方向の可撓性を提供するように相対的に構成されているステント。
【請求項７】
各第２周方向バンドが、お互いに相対的な位相に配置されたループを有することを特徴とする請求項６記載のステント。
【請求項８】
各セルがほぼ同じ面積を囲むことを特徴とする請求項６記載のステント。
【請求項９】
第１周方向バンドの相対的な幅が、血管腔に挿入するためにステントを圧縮する際に、第２周方向バンドが第１周方向バンドと基本的に同じ直径に圧縮可能となるような幅であることを特徴とする請求項６記載のステント。
【請求項１０】
第１周方向バンド及び第２周方向バンドが支柱を有し、第１周方向バンドが第２周方向バンドの支柱よりも幅の広い支柱を有することを特徴とする請求項６記載のステント。
【請求項１１】
第２周方向バンドの支柱が、第２周方向バンドの別の支柱よりも短いことを特徴とする請求項６記載のステント。
【請求項１２】
周方向に配置され、相互に間隔をあけて設けられている複数の半径方向に支持する概ね正弦曲線バンドと；
それぞれが第１端及び第２端とその間にループとを有する一連の可撓性コネクターであって、各可撓性コネクターの第１端及び第２端が、ステントの円周に位置する隣接する半径方向に支持する正弦曲線バンドのそれぞれに連続して交互に連結されるように、ステントの縦軸に沿って隣接する半径方向に支持する概ね正弦曲線バンドと結合している可撓性コネクターとを含むステントであって、
隣接するバンドに面している概ね正弦曲線バンドの各ループが、前記コネクターの２つに連結され、均一に分布した複数のセルを形成する
ステント。
【請求項１３】
各セルがほぼ同じ面積を囲むことを特徴とする請求項１２記載のステント。
【請求項１４】
半径方向に支持する正弦曲線バンドの相対的な幅が、血管腔に挿入するためにステントを圧縮する際に、可撓性コネクターが半径方向に支持する正弦曲線バンドと基本的に同じ直径に圧縮可能となるような幅であることを特徴とする請求項１２記載のステント。
【請求項１５】
半径方向に支持する正弦曲線バンド及び可撓性コネクターが支柱を有し、半径方向に支持する正弦曲線バンドが可撓性コネクターの支柱よりも幅の広い支柱を有することを特徴とする請求項１２記載のステント。
【請求項１６】
可撓性コネクターの支柱が、可撓性コネクターの別の支柱よりも短いことを特徴とする請求項１２記載のステント。
【請求項１７】
可撓性コネクターが概ねＺ字状のセグメントであることを特徴とする請求項１２記載のステント。
【請求項１８】
ループのパターンを第１頻度で含む複数の第１周方向バンドと；
ループのパターンを第１頻度よりも高い第２頻度で含む複数の第２周方向バンドであって、第１周方向バンド同士が直接結合することなく、第２周方向バンドを介して第１周方向バンドが互いに連結するように、第１周方向バンドと連続して交互になり、かつ周期的に結合してセルを形成する第２周方向バンドとを含むステントであって、
第１周方向バンドのループは互いに一致し、各セルは、第１周方向バンドの１つのループ及び第２周方向バンドの３つのループを含み、第２周方向バンドは、第２周方向バンドの別のループよりも縦方向に短い少なくとも１つのループを有するステント。
【請求項１９】
各第２周方向バンドが、お互いに相対的な位相に配置されたループを有することを特徴とする請求項１８記載のステント。
【請求項２０】
各セルがほぼ同じ面積を囲むことを特徴とする請求項１８記載のステント。
【請求項２１】
第１周方向バンドの相対的な幅が、血管腔に挿入するためにステントを圧縮する際に、第２周方向バンドが第１周方向バンドと基本的に同じ直径に圧縮可能となるような幅であることを特徴とする請求項１８記載のステント。
【請求項２２】
第１周方向バンド及び第２周方向バンドが支柱を有し、第１周方向バンドが第２周方向バンドの支柱よりも幅の広い支柱を有することを特徴とする請求項１８記載のステント。
【請求項２３】
第２周方向バンドの支柱が、第２周方向バンドの別の支柱よりも短いことを特徴とする請求項１８記載のステント。
【請求項２４】
複数のセルを含むステントであって、該複数のセルがそれぞれ、
第１端及び第２端を有する第１部材と；
第１端及び第２端を有する第２部材とを含み；
第１部材及び第２部材の第１端及び第２端はそれぞれ湾曲部分を含み、第１部材の第１端の湾曲部分は、第1ループを形成する第２部材の第１端の湾曲部分に通じており；
第１端及び第２端を有する第３部材と；
第１端及び第２端を有する第４部材と；
第１端及び第２端を有する第５部材と；
第１端及び第２端を有する第６部材と；
第１端及び第２端を有する第７部材と；
第１端及び第２端を有する第８部材とから主になり；及び
第３部材、第４部材、第５部材、第６部材、第７部材及び第８部材それぞれの第１端及び第２端は湾曲部分を含み、第２部材の第２端の湾曲部分は、第３部材の第１端の湾曲部分に通じており、第３部材の第２端の湾曲部分は、第２ループを形成する第４部材の第１端の湾曲部分に通じており、第４部材の第２端の湾曲部分は、第３ループを形成する第５部材の第１端の湾曲部分に通じており、第５部材の第２端の湾曲部分は、第４ループを形成する第６部材の第１端の湾曲部分に通じており、第６部材の第２端の湾曲部分は、第５ループを形成する第７部材の第１端の湾曲部分に通じており、第７部材の第２端の湾曲部分は、第６ループを形成する第８部材の第１端の湾曲部分に通じており、第８部材の第２端の湾曲部分は、第１部材の第２端の湾曲部分に通じているステント。
【請求項２５】
第３部材、第４部材、第５部材、第６部材、第７部材及び第８部材のそれぞれが、実質的に同じ長さであることを特徴とする請求項２４記載のステント。
【請求項２６】
第３部材、第５部材、第６部材及び第８部材のそれぞれが、実質的に同じ長さではあるが、第４部材及び第７部材よりも長いことを特徴とする請求項２４記載のステント。
【請求項２７】
第３部材、第４部材、第６部材及び第７部材のそれぞれが、実質的に同じ長さではあるが、第５部材及び第８部材よりも短いことを特徴とする請求項２４記載のステント。
【請求項２８】
第１部材、第３部材、第７部材及び第８部材が実質的に平行であることを特徴とする請求項２４記載のステント。
【請求項２９】
第２部材、第４部材、第５部材及び第６部材が実質的に平行であることを特徴とする請求項２４記載のステント。
【請求項３０】
第３部材、第４部材及び第５部材の結合が、第６部材、第７部材及び第８部材の結合によって形成される全体像の実質的な鏡像である全体像を形成することを特徴とする請求項２４記載のステント。
【請求項３１】
第３部材、第４部材及び第５部材の結合が、第６部材、第７部材及び第８部材の結合によって形成される全体像の実質的な反転像である全体像を形成することを特徴とする請求項２４記載のステント。
【請求項３２】
第１部材、第２部材、第３部材、第４部材、第５部材、第６部材、第７部材及び第８部材それぞれのかなりの長さが実質的に線形であることを特徴とする請求項２４記載のステント。
【請求項３３】
第３部材、第４部材、第５部材、第６部材、第７部材及び第８部材それぞれのかなりの長さが実質的に非線形であることを特徴とする請求項２４記載のステント。
【請求項３４】
第１部材及び第２部材のそれぞれが、血管腔に挿入するためにステントを圧縮する際に、第３部材、第４部材、第５部材、第６部材、第７部材及び第８部材のそれぞれが第１部材及び第２部材と基本的に同じ直径に圧縮可能となるような、相対的な幅を有していることを特徴とする請求項２４記載のステント。
【請求項３５】
第１部材及び第２部材のそれぞれが、第３部材、第４部材、第５部材、第６部材、第７部材及び第８部材のそれぞれの幅よりも広い幅を有していることを特徴とする請求項２４記載のステント。
【請求項３６】
第３部材、第４部材、第５部材、第６部材、第７部材及び第８部材のうち少なくとも１つの長さが、第３部材、第４部材、第５部材、第６部材、第７部材及び第８部材のうち他の少なくとも１つの長さよりも、短いことを特徴とする請求項２４記載のステント。
【請求項３７】
ループのパターンを第１頻度で含み、お互いに相対的な位相に配置された複数の第１周方向バンドと；
ループのパターンを第１頻度よりも高い第２頻度で含む複数の第２周方向バンドであって、ステントの縦軸に沿って第１周方向バンドと連続して交互になっている第２周方向バンドとを含むステントであって、第１周方向バンドのすべてのループが、隣接する第２周方向バンドに結合され、
第２周方向バンドのループが２つおきに隣接する第１周方向バンドと結合されているステント。
【請求項３８】
各第２周方向バンドが、お互いに相対的な位相に配置されたループを有することを特徴とする請求項３７記載のステント。
【請求項３９】
第１周方向バンドと第２周方向バンドとが複数のセルを形成することを特徴とする請求項３７記載のステント。
【請求項４０】
各セルがほぼ同じ面積を囲むことを特徴とする請求項３９記載のステント。
【請求項４１】
第１周方向バンドの相対的な幅が、血管腔に挿入するためにステントを圧縮する際に、第２周方向バンドが第１周方向バンドと基本的に同じ直径に圧縮可能となるような幅であることを特徴とする請求項３７記載のステント。
【請求項４２】
第１周方向バンド及び第２周方向バンドが支柱を有し、第１周方向バンドが第２周方向バンドの支柱よりも幅の広い支柱を有することを特徴とする請求項３７記載のステント。
【請求項４３】
第２周方向バンドの支柱が、第２周方向バンドの別の支柱よりも短いことを特徴とする請求項３７記載のステント。